(57)【特許請求の範囲】
【請求項１】
少なくとも定期券の一括発行処理と通常発行処理を指定する業務指定手段と、
定期券を発行するのに必要な定期券情報を入力する入力手段と、
上記定期券情報に基づいて定期券を発行する発券装置と、
この発券装置に設けられた第１及び第２の排出口と、
上記入力手段で入力された定期券情報あるいは予め記憶されている定期券情報を上記業務指定手段で指定された定期券発行業務を識別する業務識別データと共に記憶手段に記憶させる手段と、
上記業務指定手段により一括発行処理が指定されると、上記記憶手段に記憶されている定期券情報に基づいて上記発券装置で定期券を発行させて上記第１の排出口から定期券を排出させる手段と、
この一括発行処理による発行処理を行っている最中に、上記記憶手段に通常発行処理による定期券情報を受信したかを判定する判定手段と、
この判定手段により通常発行処理による定期券情報を受信したと判定したのに基づきその定期券情報に基づいて上記発券装置で定期券を発行させ上記第２の排出口から定期券を排出させる定期券発行手段とを具備したことを特徴とする定期券発行機。
【発明の詳細な説明】
【０００１】
【産業上の利用分野】
本発明は係員が窓口で定期券発行業務として使用する定期券発行機に関する。
【０００２】
【従来の技術】
係員が操作することにより、窓口で定期券を発行する定期券発行機が各鉄道会社に広く普及されてきている。
その定期券発行機を用いての定期券発行業務として、定期券を１枚１枚発行する『通常発行』業務、紛失した定期券を再発行する『再発行』業務、予約された定期券を発行する『予約発行』業務、会社で使用する場合のように定期券を一括して発行する『一括発行』業務、自動的に『一括発行』業務を行う『自動一括発行』業務がある。
【０００３】
【発明が解決しようとする課題】
通常の定期券発行機では、定期券用紙の表面に印刷デ−タに基づいて印刷処理を行ったり、定期券用紙の磁気記録部に磁気情報を記録する処理を行う発券部は１台しか装備されていない。
【０００４】
このため、定期券発行機で、前述した複数の業務のうちの１つ業務を開始すると、その業務が終了するまで、他の業務の定期券発行は開始することはできなかった。
【０００５】
このことは、係員の手入力により１枚１枚定期券の発行処理を行っている通常処理を行っている最中に他の業務に切り換えることは１枚の定期券を発行した後に、簡単に他の業務に切り換えることはできるが、『自動一括発行』業務のように予め作成された発券情報に基づいて複数枚の発券処理を行う開始されている場合には、その『自動一括発行業務』が終了するまで他の業務を受け付けることはできなかった。
【０００６】
本発明は上記の点に鑑みてなされたもので、その目的は複数の定期券発券業務を行うことができる定期券発行機において、１つの定期券発券業務が開始されているときでも、他の定期券発券業務を行うことができる定期券発行機を提供することにある。
【０００７】
【課題を解決するための手段】
請求項１に係わる定期券発行機は、
少なくとも定期券の一括発行処理と通常発行処理を指定する業務指定手段と、
定期券を発行するのに必要な定期券情報を入力する入力手段と、
上記定期券情報に基づいて定期券を発行する発券装置と、
この発券装置に設けられた第１及び第２の排出口と、
上記入力手段で入力された定期券情報あるいは予め記憶されている定期券情報を上記業務指定手段で指定された定期券発行業務を識別する業務識別データと共に記憶手段に記憶させる手段と、
上記業務指定手段により一括発行処理が指定されると、上記記憶手段に記憶されている定期券情報に基づいて上記発券装置で定期券を発行させて上記第１の排出口から定期券を排出させる手段と、
この一括発行処理による発行処理を行っている最中に、上記記憶手段に通常発行処理による定期券情報を受信したかを判定する判定手段と、
この判定手段により通常発行処理による定期券情報を受信したと判定したのに基づきその定期券情報に基づいて上記発券装置で定期券を発行させ上記第２の排出口から定期券を排出させる定期券発行手段とを具備したことを特徴とする。
【００１１】
【作用】
定期券情報に基づいて定期券を発行する発券装置に定期券を排出するための複数の排出口を設けておき、定期券の発行業務に対応した排出口から定期券を排出できるようにし、ある定期券発行業務を行っている場合でも他の定期券発行業務を受け付けるようにした。
【００１２】
【実施例】
以下図面を参照して本発明の一実施例に係わる定期券発行機について説明する。図２、図３はこの発明の定期券発行装置１の外観を示すもので、図２は正面からの図であり、図３は上面からの図である。この定期券発行装置１は、購入情報の一部が入力される条件設定操作部２、複数の発駅と着駅を設定するための駅名釦と経由を設定するための経由釦とが縦方向、横方向に配列表示されたタッチパネル内蔵のカラー液晶表示部（ＬＣＤ）によって構成される経由発着駅設定部３、４、入力手順あるいは上記条件設定操作部２、経由発着駅設定部３、４により入力された情報等を表示するカラー液晶表示部（ＬＣＤ）によって構成される表示部５、発行日付を表示する発行日付表示部６、購入客により購入情報が書かれた申込用紙が挿入される申込用紙挿入口７、定期券が排出される第１及び第２の定期券排出口８ａ，８ｂ、旧券、手差し券を挿入する挿入口９が設けられている。
【００１３】
上記条件設定操作部２は、図３に示すように、定期券の発行開始を指示するスタートキー１１、テンキー１２、４つの方向を指定する『→』『←』『↑』『↓』キ−よりなるカ−ソルキ−１３、定期券発行業務の他の業務を指定する『業務』キ−１４、定期券発行業務（通常発行、再発行、予約発行、一括発行、自動一括発行）を選択する定期券発行業務キ−１５などの種々の条件キーによって構成されている。
【００１４】
次に、上記定期券発行装置１の制御回路を図１を用いて説明する。
すなわち、上記定期券発行装置１の全体を制御する制御部としてのＣＰＵ２０が設けられている。このＣＰＵ２０には、図５のフロ−チャ−トに示すような制御プログラムや文字パターン、種々のデータが記憶されるメモリ２１が接続される。
【００１５】
さらに、ＣＰＵ２０には、上記申込用紙挿入口７に対応して設けられている氏名読取部２２と氏名転写部２３、定期券発行口８と旧券、手差し券挿入口９に対応して設けられている定期券発行部（発券装置）２４、売上デ―タ等をジャ―ナル（図示しない）に印刷するジャ―ナルプリンタ２５、定期券発行に関する種々の情報たとえば売上デ―タあるいは運賃デ―タ、定期券を一括発行するための一括発行デ−タ等が記憶されている磁気ディスク（図示しない）を扱う磁気ディスク装置２６、図示しない通信回線を介してホストコンピュータ等の外部装置と接続される通信制御部２７、上記条件設定操作部２、経由発着駅設定部３、４、および表示部５が接続されている。
【００１６】
上記氏名転写部２３は、ＣＣＤ等により構成され、申込用紙挿入口７から挿入される申込用紙上の（購入者による自筆の）氏名を読取り、画素デ―タ（イメ―ジパタ―ンデ―タ）に変換するものである。
【００１７】
上記定期券発行部２４は、定期券用紙に購入情報に対応した印刷データを印刷したり磁気情報を記録し、この新規な定期券を定期券排出口８ａ，８ｂから排出するものである。
【００１８】
上記定期券発行部２４には、図示しないが、搬送路と、この搬送路上に定期券ホッパ、印刷部、磁気書込み／読出し部が順次設けられている。
これにより、定期券ホッパからの定期券用紙に対して、印刷部で購入情報に対応した印刷データを印刷し、磁気書込み／読出し部で購入情報に対応した磁気データを記録して、定期券排出口８ａ，８ｂから排出する。この定期券排出口８ａ，８ｂうちのいずれか一方への切り替えはＣＰＵ２０からの制御信号により行われる。
【００１９】
つまり、定期券発行部２４は図４に示すような内容のデ−タを記憶するバッファメモリ２４ｍを備えており、定期券発行業務キ−１５で選択された業務を特定する業務種別識別デ−タ及び上記定期券発行部２４の印刷部で印刷される印刷デ−タ及び上記定期券発行部２４の磁気書き込み／読み出し部で書き込むエンコ−ドデ−タを１つのデ−タブロックとして記憶している。
【００２０】
このデ−タブロックは条件設定部２、経由発着駅設定部３、４で設定された後、スタ−トキ−１１が操作されると、ＣＰＵ２０の制御下で作成されて定期券発行部２４のバッファメモリ２４に転送される。
【００２１】
次に、上記のように構成された本発明の一実施例の動作について説明する。まず、定期券発行業務キ−１５を操作して『一括発行業務』を選択すると、装置はその業務モ−ドとなる。そして、磁気ディスク装置２６に記憶されている定期券を一括して発行するためのデ−タを読み込む（ステップＳ２）。そして、このデ−タがあるか否か判定する（ステップＳ３）。
【００２２】
このステップＳ３の判定で「ＹＥＳ」と判定された場合、デ−タがあると判定された場合には、定期券発行部２４のバッファメモリ２４ｍに業務種別識別デ−タ、印刷デ−タ、エンコ−ドデ−タが転送される（ステップＳ４）。
【００２３】
そして、この定期券発行部２４において、定期券ホッパからの定期券用紙に対して、印刷部で購入情報に対応した印刷データを印刷し、磁気書込み／読出し部で購入情報に対応した磁気データを記録する処理がなされる（ステップＳ５）。
【００２４】
次に、業務種別識別デ−タを判定し、業務が『一括発行』か『通常発行』かを判定する（ステップＳ６）。
この場合、業務は『一括発行』であるので、第１の排出口８ａに排出口が切り換えられて、新たな定期券は第１の排出口８ａから排出される（ステップＳ７）。
【００２５】
そして、通常発行デ−タを定期券発行部２４のバッファメモリ２４ｍで受信したかを判定する（ステップＳ８）。
このステップＳ８において「ＮＯ」と判定された場合には、上記ステップＳ２に戻って次の一括発行デ−タを読み込む処理が行われる（ステップＳ２）。
【００２６】
そして、デ−タがない場合には『一括発行』処理は終了する。
ところで、定期券発行機で『一括発行』業務を遂行中に、『通常発行』業務を選択してスタ−トボタン１１を押すと、図５（Ｂ）の処理により条件設定部２、経由発着駅設定部３、４で設定された通常発行デ−タが定期券発行部２４のバッファメモリ２４ｍに転送される（ステップＳ１１）。
【００２７】
例えば、最初に『一括発行』業務を行って、定期券を第１の排出口８ａから排出し（ステップＳ７）、通常発行デ−タの受信ありかの判定が行われる（ステップＳ８）が、このステップＳ８の判定で「ＹＥＳ」と判定され、ステップＳ４の処理に戻る。
【００２８】
このステップＳ４の判定で、定期券発行部２４のバッファメモリ２４ｍに格納された通常発行デ−タに基づいて、定期券ホッパからの定期券用紙に対して、印刷部で購入情報に対応した印刷データを印刷し、磁気書込み／読出し部で購入情報に対応した磁気データを記録する処理がなされる（ステップＳ５）。
【００２９】
そして、バッファメモリ２４ｍに記憶されている業務種別識別デ−タが判別され（ステップＳ７）、第２の排出口８ｂに切り換えられ、第２の排出口８ｂから『通常発行』業務で発行された新たな定期券が排出される（ステップＳ９）。
【００３０】
このように、『一括発行』業務で定期券を発行しているときでも、『通常発行』業務が発生した場合には、『一括発行』業務に割り込んで『通常発行』業務を行うことができる。
【００３１】
従って、係員が『一括発行』業務を行っている最中に、１枚の定期券を購入しようという購入者が来た場合でも、その購入者を待たせることなく『通常発行』で定期券を発行することができる。
【００３２】
なお、上記実施例では、定期券発行業務の『一括発行』業務、『通常発行』業務に応じて排出口８ａ，８ｂを切り換えるようにしたが、排出口を３つ以上設け、定期券発行業務に応じて、定期券の排出口を切り換えるようにしても良い。
【００３３】
【発明の効果】
以上詳述したように本発明によれば、複数の定期券発券業務を行うことができる定期券発行機において、発券装置に複数の排出口を設け、１つの定期券発券業務が開始されているときでも、他の定期券発券業務を行うことができるようにした定期券発行機を提供することができる。
【図面の簡単な説明】
【図１】本発明の一実施例に係わる定期券発行装置の制御ブロック図。
【図２】同定期券発行装置の正面図。
【図３】同定期券発行装置の上面図。
【図４】バッファメモリの記憶内容を示す図。
【図５】同実施例の動作を示すフロ−チャ−ト。
【符号の説明】
１…定期券発行装置、２…条件設定部、３，４…経由発着駅設定部、５…表示部、６…発行日付表示部、７…申込用紙挿入口、８…定期券排出口、２４…定期券発行部、２４ｍ…バッファメモリ。
【図１】
0003654940.tif 000002
【図２】
0003654940.tif 000003
【図３】
0003654940.tif 000004
【図４】
0003654940.tif 000005
【図５】
0003654940.tif 000006